(57)【要約】【課題】電気が止められた状態の集合住宅の空家、空室において、室内に空気の流れを発生させる換気機構を装着可能となし、改修工事に伴う仕上げ材や塗料の臭い、そして、転居者の生活様式により部屋内に沁み込んだ臭いが部屋に充満してしまうことを防止する集合住宅における空家、空室時用の換気並びに臭気抜き装置を提供する。【解決手段】引き違い戸や引き違い窓上部に設けられた換気用小窓の開口部に雨水吹き込み防止カバーを兼用する筺体を着脱自在に設置し、該筺体の内部にソーラー電池で駆動するモーター並びにファンを備えた換気機構、並びに自然換気機構を設けた。【選択図】図２
2008256274.tif 000002
【特許請求の範囲】
【請求項１】
集合住宅の引き違い戸や引き違い窓上部に設けられた換気用小窓を開口して開口部を構成し、該引き違い戸や引き違い窓上部に設けられた換気用小窓の開口部に雨水吹き込み防止カバーを兼用する筺体を着脱自在に設置し、該筺体の内部にソーラー電池で駆動するモーターとファンを備えた換気機構を設けたこと、
を特徴とする集合住宅における空家、空室時用の省エネルギー換気並びに臭気抜き装置。
【請求項２】
前記モーターとファンの駆動用ソーラー電池は雨水吹き込み防止カバーを形成する筺体の外部斜壁に接着やビス止めにて固着されていること、または、該ソーラー電池は配線を延長されベランダ手摺の笠木上部に取付具で固着し設置されていること、
を特徴とする請求項１に記載された集合住宅における空家、空室時用の省エネルギー換気並びに臭気抜き装置。
【請求項３】
前記モーターとファンの駆動用ソーラー電池は引き違い戸や引き違い窓からなるサッシを介して部屋内側のサッシ際に専用スタンドを設けて設置されていること、
を特徴とする請求項１に記載された集合住宅における空家、空室時用の省エネルギー換気並びに臭気抜き装置。
【請求項４】
前記ソーラー電池で駆動するモーターとファンから成る換気機構に対向して同室或いは他室に設けられた集合住宅の引き違い戸や引き違い窓上部に設けられた換気用小窓を開口して開口部を構成し、該換気用小窓の開口部に雨水吹き込み防止カバーを兼用する筺体を着脱自在に設置し、該筺体の内部に防虫網を備えた吸気機構を設けたこと、
を特徴とする請求項１に記載された集合住宅における空家、空室時用の省エネルギー換気並びに臭気抜き装置。
【請求項５】
前記ソーラー電池で駆動するモーターとファンから成る換気機構、並びに防虫網から成る吸気機構を内蔵する筐体は各々筺体縁部を有し、該筺体縁部を前記換気用小窓の開口部における上下のガラス窓摺動用溝、並びに竪框の戸先に設けられた換気用小窓召合せ溝に嵌合せしめ、前記開口した換気用小窓を閉めることにより換気用小窓の竪框にて押圧して筐体を開口部に装着固定し、また、前記竪框を摺動して開口部を開口することで前記筺体を取り外しできるようにしたこと、
を特徴とする請求項１乃至請求項４のいずれかに記載された集合住宅における空家、空室時用の省エネルギー換気並びに臭気抜き装置。
【発明の詳細な説明】
【技術分野】
【０００１】
本発明は、集合住宅における空家、空室時用の省エネルギー換気並びに臭気抜き装置に関するものである。
【０００２】
本発明は、特に、居住者が転居したあとに改修工事をおこない、新しい入居者が入るまでの期間における空家、空室時用の部屋内空気の省エネルギー換気を行う装置、並びに室内の臭気抜きを行う装置に関するものである。
【０００３】
居住者の転居等に伴う改修工事の後、集合住宅の空家、空室においては、防災、防犯等管理上の理由により電気、ガス、水道は、元栓が止められ、窓や引き戸等の開口部は密閉され施錠された状態で、次の入居者が決まるまでの長期間放置されていることが、一般的である。
【０００４】
従って、上記密閉状態におかれた空家や空室の部屋内は、建物に備え付けられた自然換気機構が働いているのみで、多くの場合、部屋内の空気は停滞して改修工事に伴う仕上げ材や塗料の臭い、そして、転居者の生活様式により部屋内に沁み込んだ臭いが部屋に充満してしまい、入居希望者の下見時等に一種独特のいやな臭気となり不快感をあたえることが多い。
【０００５】
本発明は、ライフラインの元栓が止められた状態の集合住宅の空家、空室において、室内に空気の流れを発生させる換気装置を装着可能となし、改修工事に伴う仕上げ材や塗料の臭い、そして、転居者の生活様式により部屋内に沁み込んだ臭いが部屋に充満してしまうことを防止した集合住宅における空家、空室時用の省エネルギー換気を行う装置、並びに室内の臭気抜き装置を提供するものである。
【背景技術】
【０００６】
集合住宅の換気設備に関しては、自然換気設備や機械換気設備等に関する設備設置の形態が法令にて規定されており、人が入居して生活を始める際には電気等のライフラインが通電され換気扇等の機械換気設備や換気用小窓や換気口、そして特開平１１−２１７９８０〔以下、特許文献１と称する〕の如くサッシの無目に内蔵した換気装置、或いは特開２００１−１７３３２５〔以下、特許文献２と称する〕の如くサッシ枠内に組み込まれた換気ユニットを併用して居住空間の換気をすることができる。
【０００７】
然しながら、居住者の転居等に伴う改修工事の後、集合住宅の空家、空室においては、防災、防犯等管理上の理由により電気、ガス、水道は、元栓が止められ、窓や引き戸等の開口部は密閉され施錠された状態で、次の入居者が決まるまでの長期間放置されていることが、一般的である。
【０００８】
そして、密閉状態におかれた空家や空室の部屋内は、建物に備え付けられた自然換気機構が働いているのみで、多くの場合、部屋内の空気は停滞して改修工事に伴う仕上げ材や塗料の臭い、そして、転居者の生活様式により部屋内に沁み込んだ臭いが部屋に充満してしまい、入居希望者の下見時等に一種独特のいやな臭気となり不快感をあたえることが多い。
【０００９】
而して、本発明は、集合住宅の引き違い戸や引き違い窓上部に設けられた換気用小窓を開口した状態にして開口部を構成し、該換気用小窓の開口部に雨水吹き込み防止カバーを兼用する筺体を着脱自在に設置し該筺体の内部にソーラー電池で駆動するモーターとファンを備えた換気機構を設けた空家、空室時用の省エネルギー換気並びに臭気抜き装置を提供するものである。
【００１０】
また、本発明おいて、前記モーターとファンの駆動用ソーラー電池は、雨水吹き込み防止カバーを形成する筺体の外部斜壁に接着やビス止めにて固着されていることや、ソーラー電池は配線を延長されベランダ手摺の笠木上部に取付具で固着し設置されていること、或いは、室内のサッシ際に専用スタンドにて設置して、太陽光線を効率よく受光できることを特徴とする空家、空室時用の省エネルギー換気並びに臭気抜き装置を提供するものである。
【００１１】
従って、本発明は、〔特許文献１〕の如くサッシの無目等に予め組み込まれる窓の換気装置とは異なるもので、集合住宅の空家、空室時のみに引き違い戸や引き違い窓上部に設けられた換気用小窓を開口して、該開口部に換気及び臭気抜き装置を取り付けて使用し、新しい入居者が居住する際には、撤去されるものである。
【００１２】
更に、本発明は、サッシ枠を有する扉や引き戸に、筒体から成る換気ユニットを構成し、該換気ユニットはサッシ枠を介して、どの場所に、どの様に組み込んでサッシと一体型の開口部を形成するかを課題とする〔特許文献２〕とは異なるものである。本発明は、集合住宅の引き違い戸や引き違い窓上部に設けられた換気用小窓を利用して、空家、空室時のみに作動する換気並びに臭気抜き装置を取り付けて使用するもので、新しい入居者が居住する際には撤去されるものである。
【００１３】
そして、本発明の目的は、ライフラインの元栓が止められた状態の集合住宅の空き家、空室において、室内に空気の流れを発生させる換気装置を装着して機械排気を可能となし、改修工事に伴う仕上げ材や塗料の臭い、そして、転居者の生活様式により部屋内に沁み込んだ臭いが部屋に充満してしまうことを防止する集合住宅における空家、空室時用の省エネルギー換気並びに臭気抜き装置を提供するものである。
【発明の開示】
【発明が解決しようとする課題】
【００１４】
本発明が解決しようとする課題は、ライフラインの元栓が全て止められた状態、即ち、電気を止められた状態の集合住宅の空家、空室において、室内に空気の流れを発生させる換気装置を装着可能となし、改修工事に伴う仕上げ材や塗料の臭い、そして、転居者の生活様式により部屋内に沁み込んだ臭いが部屋に充満してしまうことを防止する集合住宅における空家、空室時用の省エネルギー換気並びに臭気抜き装置を提供するものである。
【特許文献１】特開平１１−２１７９８０号公報
【特許文献２】特開２００１−１７３３２５号公報
【課題を解決するための手段】
【００１５】
斯くして、本発明は、集合住宅の引き違い戸や引き違い窓上部に設けられた換気用小窓を開口した状態にて開口部を形成し、該引き違い戸や引き違い窓上部に設けられた換気用小窓の開口部に雨水吹き込み防止カバーを兼用する筺体を着脱自在に設置し、該筺体の内部にソーラー電池で駆動するモーターとファンを備えた換気機構を設けたことを要旨とする集合住宅における空家、空室時用の省エネルギー換気並びに臭気抜き装置である。
【００１６】
本発明は、集合住宅における空家、空室時用の換気並びに臭気抜き装置において、前記モーターとファンの駆動用ソーラー電池は、雨水吹き込み防止カバーを形成する筺体の外部斜壁に接着やビス止めにて固着されていること、また該ソーラー電池は配線により延長されベランダ手摺の笠木上部に取付具で固着し設置されていることが好ましい。
【００１７】
また、本発明において、前記モーターとファンの駆動用ソーラー電池は引き違い戸や引き違い窓からなるサッシを介して部屋内側のサッシ際に専用スタンドを設けて設置されていることも好ましい。
【００１８】
次に、本発明は、集合住宅における空家、空室時用の換気並びに臭気抜き装置において、前記ソーラー電池で駆動するモーターとファンから成る換気機構に対向して同室、或いは他室に設けられた集合住宅の引き違い戸や引き違い窓上部に設けられた換気用小窓を開口して開口部を構成し、該換気用小窓の開口部に雨水吹き込み防止カバーを兼用する筺体を着脱自在に設置し、該筺体の内部に防虫網を備えた吸気機構を設けることが好ましい。
【００１９】
更に、本発明は、ソーラー電池で駆動するモーターとファンから成る換気機構、並びに防虫網から成る吸気機構を内蔵する筐体は各々筺体縁部を有し、該筺体縁部を前記換気用小窓の開口部における上下のガラス窓摺動用溝、並びに竪框の戸先に設けられた換気用小窓召合せ溝に嵌合せしめ、前記開口した換気用小窓を閉めることにより換気用小窓の竪框にて押圧して筐体を開口部に装着固定し、また、前記竪框を摺動して開口部を開口することで前記筺体を取り外しできるようにした構成が好ましい。
【発明の効果】
【００２０】
本発明は、電気が止められた状態の集合住宅の空家、空室において、室内に空気の流れを発生させる換気並びに臭気抜き装置を装着可能となし、改修工事に伴う仕上げ材や塗料の臭い、そして、転居者の生活様式により部屋内に沁み込んだ臭いが部屋に充満してしまうことを防止し、また、解消することのできる集合住宅における空家、空室時用の省エネルギー換気並びに臭気抜き装置を提供することができた。
【００２１】
本発明は、集合住宅の引き違い戸や引き違い窓上部に設けられた換気用小窓を有効利用することにより、空家、空室において、室内に空気の流れを発生させる省エネルギー換気装置（臭気抜き装置をも含む）を取り付け、取り外し可能に装着でき、新規入居者が引越ししてきた場合には、速やかに前記、空家、空室時用の前記換気装置を取り外して前の通常状態に復帰することのできる集合住宅における空家、空室時用の省エネルギー換気並びに臭気抜き装置を提供することができた。
【００２２】
更に、本発明は、ソーラー電池で駆動するモーターとファンから成る換気機構に対向して同室、或いは他室に設けられた集合住宅の引き違い戸や引き違い窓上部の換気用小窓にも、簡単、且つ、容易に吸気機構を設けることができ、該吸気機構と前記ソーラー電池で駆動するモーターとファンから成る換気機構との組み合わせにて、効率よく空家、空室において、室内に空気の流れを発生させる換気並びに臭気抜き装置を提供することができた。
【００２３】
そして、本発明におけるソーラー電池で駆動するモーターとファンから成る換気機構を備えた空家、空室時用の換気装置は、電気を必要とせず、空家や空室時の電気代を無料となし、防災、防犯等、管理上の理由により電気等のライフラインが止められ、窓や引き戸等も密閉されて施錠された状態で、長い間放置されたとしても、改修工事に伴う仕上げ材や塗料の臭い、そして、転居者の生活様式により部屋内に沁み込んだ臭いが部屋に充満してしまうことを防止し、また、この問題を解消することができた。
【発明を実施するための最良の形態】
【００２４】
本発明の要旨は、集合住宅の引き違い戸や引き違い窓上部に設けられた換気用小窓を開口した状態にして開口部を構成し、該引き違い戸や引き違い窓上部に設けられた換気用小窓の開口部に雨水吹き込み防止カバーを兼用する筺体を着脱自在に設置し、該筺体の内部にソーラー電池で駆動するモーターとファンを備えた換気機構を設けたことを特徴とする集合住宅における空家、空室時用の換気並びに臭気抜き装置である。
【００２５】
また、本発明は、集合住宅における空家、空室時用の換気並びに臭気抜き装置において、前記ソーラー電池で駆動するモーターとファンから成る換気機構に対向して同室、或いは他室に設けられた集合住宅の引き違い戸や引き違い窓上部に設けられた換気用小窓を開口して、該該引き違い戸や引き違い窓上部に設けられた換気用小窓の開口部に雨水吹き込み防止カバーを兼用する筺体を着脱自在に設置し、該筺体の内部に防虫網を備えた吸気機構を設けることも、その特徴としている。
【００２６】
本発明は、一例として、ＢＬサッシ（財団法人ベターリビングの認定を受けたサッシ）等において、集合住宅の引き違い戸や引き違い窓の上部に設けられた換気用小窓を有効利用するものである。ＢＬサッシは、主に公営住宅の開口部用として、引き違い戸、引き違い窓に積極的に採用されているサッシである。
【００２７】
そして、ＢＬサッシの形状は、後述する実施例の図１や図５に示されるように引き違い戸や引き違い窓の片側上方部にＦＩＸ部と可動部からなる換気用小窓が形成されており、特に公営住宅においては、換気用小窓の付いた引き違い戸や引き違い窓が一部屋に少なくとも一個所は用いられているので、居住者は、該換気用小窓を必要に応じて開口することによりことにより、それぞれの部屋の自然換気ができるように構成されているものである。
【００２８】
然しながら、本発明の実施にあたって、上述したサッシ形状を有していればＢＬサッシにこだわる必要はない。本発明の要旨は、サッシの換気用小窓を開口して、換気機構、吸気機構を装着、設置して、空家や空室時のみに、機械換気用または、自然換気用に用いるものである。
【００２９】
そして、室内に空気の流れを発生させる換気並びに臭気抜き装置は、換気用小窓の開口部に装着することや取り外しすることが容易で、新規入居者が引越ししてきた場合には、速やかに前記、空家や空室時用の換気並びに臭気抜き装置を取り外して通常状態に復帰できる集合住宅における空家、空室時用の省エネルギー換気並びに臭気抜き装置を提供するものである。
【００３０】
従って、本発明における他の例としては、前記モーターとファンの駆動用ソーラー電池が雨水吹き込み防止カバーを形成する筺体の外部斜壁に接着やビス止め等の手段にて固着されていることや、或いは、前記ソーラー電池は配線を延長され、例えばベランダ手摺の笠木上部等、太陽光線を効率よく受光できる位置に取付具で固着し設置されている構成を有しているものである。
【００３１】
また、本発明における他の例として、前記モーターとファンの駆動用ソーラー電池は引き違い戸や引き違い窓からなるサッシを介して部屋内側のサッシ際に専用スタンドを設けて設置されている構成を有しているものでも良い。
【００３２】
更にまた、本発明は、前記ソーラー電池で駆動するモーターとファンから成る換気機構、並びに防虫網から成る吸気機構を内蔵する筐体は各々筺体縁部を有し、該筺体縁部を前記換気用小窓の開口部における上下のガラス窓摺動用溝、並びに竪框の戸先に設けられた換気用小窓召合せ溝に嵌合せしめ、前記開口した換気用小窓を閉めることにより換気用小窓の竪框にて押圧して筐体を開口部に装着固定し、また、前記竪框を摺動して開口部を開口することで前記筺体を取り外しできるように構成されている。
【実施例１】
【００３３】
図１は、本発明の実施例１を説明する引き違い戸のサッシ内観図、図２は図１の換気用小窓部分を示すＡ−Ａ拡大立断面図、図３は図１の換気用小窓部を示すＢ−Ｂ拡大平面図、図４は一般的な集合住宅の間取図例を示すもので、実施例１の配置説明図である。
【００３４】
図１乃至図４は、本発明の実施例１、即ち、集合住宅の引き違い戸上部に設けられた換気用小窓にソーラー電池で駆動するモーターとファンを備えた換気機構の筐体を設けた実施例を説明するものであり、図１乃至図４において、１は引き違い戸を形成する開口部、２は該開口部に設置された引き違いサッシ、３ａ、３ｂは引き違いサッシの竪枠、４は上枠、５は下枠であり、該上下枠内に引き戸６ａ、６ｂが建て込まれており、該引き違い戸６ａ、６ｂはそれぞれ上框７、竪框８ａ、召合せ竪框８ｂ、中桟９、下框１０を有し、ガラス１１ａ、１１ｂ、１１ｃ・・・を嵌め込んで引き違い戸６ａ、６ｂを構成している。
尚、１２は引き違い戸６ａ、６ｂ間を施錠するクレセントを示している。
【００３５】
而して、前記引き違い戸６ａには、上部中桟１３を介して、ＦＩＸ部１４と可動部１５から成る換気用小窓１６が設けられている。換気用小窓１６の可動部１５の先端部には窓用竪框１７を有したガラス窓１８が摺動可能に換気用小窓１６の可動部１５に装着されている。
【００３６】
そして、図１は、前記換気用小窓１６のガラス窓１８が半分程開口され、該開口部に換気機構１９を有するの筺体２０が装着された状態を示している。
尚、図１における２１は前記換気用小窓１６のガラス窓１８を閉鎖状態で施錠するストッパーを示している。
【００３７】
次に、図２は、図１の換気用小窓１６部分を示すＡ−Ａ拡大立断面図であり、図３は、図１の換気用小窓部を示すＢ−Ｂ拡大平面図をそれぞれ示している。図２、及び図３において、４はサッシの上枠、７はサッシの上框、１３は上部中桟（換気用小窓１６の下枠）であり、該サッシの上框７、上部中桟１３間にはガラス窓１８のＦＩＸ用ガラス溝２２とガラス窓摺動用溝２３が設けてある。
【００３８】
また、図３の平面拡大図において、８ａは引き違い戸６ａの召合せ竪框であり、１７はガラス窓１８の窓用竪框、１４はガラス窓１８のＦＩＸ部、８ｂは引き違い戸６ａの竪框、２１はガラス窓１８を閉鎖状態で施錠するストッパーをそれぞれ示している。
【００３９】
斯くして、図２、図３において、引き違いサッシ２の外部側をＯＵＴ、部屋内側をＩＮと表示すると、前記筺体２０は、外部側ＯＵＴに雨水吹き込み防止カバー２４が設けられ、部屋内側ＩＮに駆動モーター２５とファン２６を内蔵する換気機構本体ケース２７が設けられている。
【００４０】
前記駆動モーター２５は、リード線２８を介して外部側ＯＵＴに設けられた雨水吹き込み防止カバー２４の外部斜壁２９上に接着やビス止めにて固着されているソーラー電池３０に接続されていて、太陽発電された電気を利用して、前記駆動モーター２５を駆動せしめ、ファン２６を回転させることにより、部屋内側ＩＮの強制換気を可能にしている。
【００４１】
また、換気機構本体ケース２７の部屋内側ＩＮに穿設された換気孔３１には、キャップ蓋３２により防虫網３３が覆う様に設けられており、更に、前記外部側ＯＵＴに設けられた雨水吹き込み防止カバー２４の外部斜壁２９の下方には、外部換気孔３４が下向き方向に設けられている。
【００４２】
而して、上記筺体２０を形成する雨水吹き込み防止カバー２４と換気機構本体ケース２７は、それぞれ筺体２０の縁部に各々筺体縁部３５、３６を有し、該筺体縁部３５、３６は前記換気用小窓１６を開口した状態にて上下のガラス窓摺動用溝２３、並びに竪框８ａ戸先框の換気用小窓召合せ溝３７に嵌合して装着可能であり、前記開口した換気用小窓１６を閉めることにより換気用小窓１６の窓用竪框１７にて押圧してガラス窓１８の開口部に筺体２０を装着し固定できるように構成されており、また、該筐体２０は前記窓用竪框１７を摺動してガラス窓１８を開口することにより簡単且つ容易に取り外し可能に構成されている。
【００４３】
尚、図３の３８は前記窓用竪框１７にて筺体縁部３５、３６押圧した際に窓用竪框１７を固定するための筺体ストッパー、３９、４０は筺体縁部３５、３６部分の気密を保持するために装着されたパッキンである。
【００４４】
従って、本発明の実施例１においては、集合住宅の引き違い戸６ａ上部に設けられた換気用小窓１６を開口した状態にて開口部を作り、該開口部に雨水吹き込み防止カバー２４を兼用する筺体２０から成る換気機構本体ケース２７を装着し固定するもので、該換気機構本体ケース２７の内部にはソーラー電池３０で駆動するモーター２５とファン２６を備え室内の空気を強制的に換気する換気機構を設けた集合住宅における空家、空室時用の換気並びに臭気抜き装置である。
【００４５】
尚、図４は一般的な集合住宅の間取図例を示すもので、実施例１の配置説明図である。図４において、通常、上部側は北側、下側は南側を示している。そして、本発明の実施例１におけるソーラー電池３０にて駆動するモーター２５とファン２６からなる機械換気機構を有する排気機構１９は、図４の南側開口部４１ａ、４１ｂ、４１ｃに設けられる。
【００４６】
よって、実施例１の前記駆動モーター２５とファン２６を駆動するソーラー電池３０は、雨水吹き込み防止カバー２４を形成する筺体２０の外部斜壁２９に接着やビス止め等の手段にて固着されていることや、他の一例として、効率よく太陽光を受光できるように、該ソーラー電池３０は配線を延長しベランダ手摺の笠木上部４２に簡単な取付具でソーラー電池３０ａ、３０ａ、３０ａの如く固着され設置される構成（図４に示す）としても良い。
【００４７】
また、上記実施例の如くソーラー電池３０、３０ａ、３０ａ、３０ａを外部側ＯＵＴに設けることは、汚れや盗難、そして悪戯による破損を招く場合もあり、これらの防止策として、前記モーター２５とファン２６の駆動用ソーラー電池３０は引き違い戸や引き違い窓からなるサッシを介して部屋内側ＩＮのサッシ際に専用スタンド４３を設けてソーラー電池３０ｂ、３０ｂ、３０ｂの如く設置されている構成（この例も図４に示す）としても良い。
【００４８】
尚、実施例１において、ソーラー電池３０、３０ａ、３０ｂにはそれぞれ蓄電池機能を持たせることにより２４時間（昼と夜）にわたって駆動モーター２５とファン２６を駆動させることが可能であることは云うまでもなく、前記ソーラー電池３０は、蓄電機能を有したソーラー電池３０と読み変えても良い。
【実施例２】
【００４９】
図５は、本発明の実施例２を説明する引き違い戸のサッシ内観図、図６は図５の換気用小窓部分を示すＣ−Ｃ拡大立断面図、図は図５の吸気用小窓部を示すＤ−Ｄ拡大平面図、図４は、実施例１の説明と重複するが、一般的な公営住宅の間取図例を示すもので、実施例２においては、吸気機構を内蔵する換気装置の配置説明図である。
【００５０】
図５乃至図７において、図１乃至図３と同一符号は同一構成要素を示している。本発明の実施例２、即ち、集合住宅の引き違い戸上部に設けられた換気用小窓に設けられる吸気機構は雨水吹き込み防止カバーを兼用する筺体からなり、該筺体の内部に防虫網を備えた吸気機構有する換気装置の実施例を説明するもので、図５乃至図７において、１は引き違い戸を形成する開口部、２は該開口部に設置された引き違いサッシ、３ａ、３ｂは引き違いサッシの竪枠、４は上枠、５は下枠であり、該上下枠内に引き戸６ａ、６ｂが建て込まれており、該引き違い戸６ａ、６ｂは、それぞれ上框７、竪框８ａ、召合せ竪框８ｂ、中桟９、下框１０によりガラス１１ａ、１１ｂ、１１ｃ・・・を嵌め込んで引き違い戸６ａ、６ｂを構成している。
尚、１２は引き違い戸６ａ、６ｂ間を施錠するクレセントを示している。
【００５１】
而して、前記引き違い戸６ａには、上部中桟１３を介して、ＦＩＸ部１４と可動部１５から成る換気用小窓１６が設けられている。換気用小窓１６の可動部１５の先端部には窓用竪框１７を有したガラス窓１８が摺動可能に換気用小窓１６の可動部１５に装着されている。
【００５２】
そして、図５は、前記換気用小窓１６のガラス窓１８が半分程開口され、該開口部に吸気機構４３を有するの筺体２０が装着された状態を示している。
尚、図５における２１は前記換気用小窓１６のガラス窓１８を閉鎖状態で施錠するストッパーを示している。
【００５３】
次に、図６は、図５の換気用小窓１６部分を示すＣ−Ｃ拡大立断面図であり、図７は、図５の換気用小窓部を示すＤ−Ｄ拡大平面図をそれぞれ示している。図６、及び図７において、４はサッシの上枠、７はサッシの上框、１３は上部中桟（換気用小窓１６の下枠）であり、該サッシの上框７、上部中桟１３にはガラス窓１８のＦＩＸ用ガラス溝２２とガラス窓摺動用溝２３が設けてある。
【００５４】
また、図７の平面拡大図において、８ａは引き違い戸６ａの竪框であり、１７はガラス窓１８の窓用竪框、１４はガラス窓１８のＦＩＸ部、８ｂは引き違い戸６ａの召合せ竪框、２１はガラス窓１８を閉鎖状態で施錠するストッパーをそれぞれ示している。
【００５５】
斯くして、図６、図７において、引き違いサッシ２の外部側をＯＵＴ、部屋内側をＩＮと表示すると、前記筺体２０は、外部側ＯＵＴに雨水吹き込み防止カバー２４が設けられ、部屋内側ＩＮに防虫網３３内蔵する吸気機構本体ケース４４が設けられている。
【００５６】
また、前記吸気機構本体ケース４４の部屋内側ＩＮに穿設された換気孔３１には、キャップ蓋３２により防虫網３３が覆う様に設けられており、更に、前記外部側ＯＵＴに設けられた雨水吹き込み防止カバー２４の外部水切４５の下方には、外部吸気孔４９が下向き方向に設けられている。
【００５７】
実施例２は、上記筺体２０を形成する雨水吹き込み防止カバー２４と吸気機構本体ケース４４から成り、該筺体２０の縁部に各々筺体縁部４６、４７を有し、該筺体縁部４６、４７は前記換気用小窓１６を開口した状態にて上下のガラス窓摺動用溝２３、並びに竪框８ａ戸先框の換気用小窓召合せ溝３７に嵌合せしめ、前記開口した換気用小窓１６を閉めることにより換気用小窓１６の窓用竪框１７にて筺体縁部４６、４７押圧してガラス窓１８の開口部に筺体２０を装着し固定できるようになし、また、該筐体２０はガラス窓１８を開口することで簡単且つ容易に取り外し可能に構成されている。
【００５８】
尚、図７の３８は前記窓用竪框１７にて筺体縁部４６、４７押圧した際に窓用竪框１７を固定するための筺体ストッパー、３９、４０は筺体縁部４６、４７部分の気密を保持するために取り付けたパッキンである。
【００５９】
而して、本発明の実施例２は、前記ソーラー電池で駆動するモーター２５とファン２６から成る換気機構、即ち、実施例１に対向して同室或いは他室に設けられ、集合住宅の引き違い戸上部に設けられた換気用小窓を開口した状態にて、該上部に設けられた換気用小窓の開口部に雨水吹き込み防止カバーを兼用する筺体２０から成り、該筺体２０の内部に防虫網３３を備えた自然吸気用の吸気機構を設けたもので、実施例２は当然のことながら、実施例１にて説明した機械換気機構と組み合わせて用いることでその効果を遺憾なく発揮することが可能な集合住宅における空家、空室時用の換気並びに臭気抜き装置である。
【００６０】
尚、図４は一般的な集合住宅の間取図例を示すもので、実施例１の配置と実施例２の組合せ配置説明図である。図４において、通常、上部側は北側、下側は南側を示している。そして、本発明の実施例１におけるソーラー電池３０にて駆動するモーター２５とファン２６からなる機械換気機構を有する換気装置は、図４の南側開口部４１ａ、４１ｂ、４１ｃに設けられ、自然吸気機構を有する吸気装置は、北面開口部４８等に配置することができる。
【００６１】
また、上記実施例１、並びに実施例２の説明は、引き違い戸に限定して説明を展開してきたが、上部に換気用小窓を備えたものであれば、引き違い窓等他のサッシに実施しても有効であることは、当然のことである。
【００６２】
而して、本発明は、ライフラインの元栓が止められた状態の集合住宅の空家、空室において、室内に空気の流れを発生させる換気並びに臭気抜き装置を装着可能となし、改修工事に伴う仕上げ材や塗料の臭い、そして、転居者の生活様式により部屋内に沁み込んだ臭いが部屋に充満してしまうことを防止できる集合住宅における空家、空室時用の省エネルギー換気並びに臭気抜き装置を提供するものである。
【産業上の利用可能性】
【００６３】
斯くして、本発明におけるソーラー電池で駆動するモーター並びにファンから成る換気機構を備えた空家、空室時用の換気並びに臭気抜き装置は、電気を必要とせず、空家や空室時の電気代を無料となし、防災、防犯等管理上の理由により電気等のライフラインが止められ、窓や引き戸等の開口部は密閉され施錠された状態で長い間放置されたとしても、改修工事に伴う仕上げ材や塗料の臭い、そして、転居者の生活様式により部屋内に沁み込んだ臭いが部屋に充満してしまうことを防止し、また、解消することができるもので、その産業上の利用可能性は、多大なものがある。
【図面の簡単な説明】
【００６４】
【図１】本発明の実施例１を説明する引き違い戸の内観図である。
【図２】図１のＡ−Ａ拡大部分立断面図である。
【図３】図１のＢ−Ｂ拡大部分平面図である。
【図４】一般的な集合住宅の間取図の例を示すもので実施例装置の配置例説明図である。
【図５】本発明の実施例２を説明する引き違い戸の内観図である。
【図６】図５のＣ−Ｃ拡大部分立断面図である。
【図７】図５のＤ−Ｄ拡大部分平面図である。
【符号の説明】
【００６５】
１  引き違い戸を形成する開口部
２  引き違いサッシ
３ａ、３ｂ  竪枠
４  上枠
５  下枠
６ａ、６ｂ  引き違い戸
７  上框
８ａ  竪框
８ｂ  召合せ竪框
９  中桟
１０  下框
１１ａ、１１ｂ、１１ｃ・・・ガラス
１２  クレセント
１３  上部中桟
１４  ＦＩＸ部
１５  可動部
１６  換気用小窓
１７  窓用竪框
１８  ガラス窓
１９  換気機構
２０  筺体
２１  ストッパー
２２  ＦＩＸ用ガラス溝
２３  ガラス窓摺動用溝
２４  雨水吹き込み防止カバー
２５  駆動モーター
２６  ファン
２７  換気機構本体ケース
２８  リード線
２９  外部斜壁
３０、３０ａ、３０ｂ  ソーラー電池
３１  換気孔
３２  キャップ蓋
３３  防虫網
３４  外部換気孔
３５  筺体縁部
３６  筺体縁部
３７  召合せ溝
３８  筺体ストッパー
３９  パッキン
４０  パッキン
４１ａ、４１ｂ、４１ｃ  開口部
４２  ベランダ手摺の笠木上部
４３  専用スタンド
４４  吸気機構本体ケース
４５  外部水切
４６  筺体縁部
４７  筺体縁部
４８  北面開口部
４９  外部吸気口
ＯＵＴ  外部側
ＩＮ    部屋内側
【図１】
2008256274.tif 000003
【図２】
2008256274.tif 000004
【図３】
2008256274.tif 000005
【図４】
2008256274.tif 000006
【図５】
2008256274.tif 000007
【図６】
2008256274.tif 000008
【図７】
2008256274.tif 000009